(57)【要約】      （修正有）【課題】マスカラ液を睫毛に塗布する際、マスカラ液を確実に均一に塗布し、液溜まり、睫毛どうしの付着などの生じないマスカラブラシを提供する。【解決手段】ブラシの毛３を一部に切り込みを設けた不連続な円弧状として、円弧の内側でマスカラ液を保持すると同時に、睫毛が切り込み部から円弧の内側へ入り込むことにより確実な梳き効果を可能とし、液溜まり、睫毛どうしの付着などを防止できるものである。【選択図】図２
2006218256.tif 000002
【特許請求の範囲】
【請求項１】
睫毛にマスカラ液を塗布するマスカラブラシに於いて、芯材の表面に設けられたブラシの毛が、一部に切り込みを設けた不連続な円弧状であり、この不連続な円弧状のブラシの毛が芯材の軸方向に一定間隔をもって多数個直線状に並び、且つブラシの毛の列が芯材の円周方向に２列以上設けられたことを特徴とするマスカラブラシ。
【請求項２】
ブラシの毛が太さが直径０．０４ｍｍから０．４ｍｍの合成繊維である事を特徴とする請求項１のマスカラブラシ。
【請求項３】
ブラシの毛の不連続な円弧状の高さが０．５ｍｍから３．０ｍｍであることを特徴とする請求項１のマスカラブラシ。
【請求項４】
ブラシの毛の円弧状の部分の直径が０．２ｍｍから２．０ｍｍである事を特徴とする請求項１のマスカラブラシ。
【請求項５】
ブラシの毛が、芯材の周方向で１０度から３０度の間隔で芯材の軸方向に直線上に設けられた事を特徴とする請求項１のマスカラブラシ。
【発明の詳細な説明】
【技術分野】
【０００１】  本発明はマスカラ液を睫毛に塗布するためのブラシの毛を備えたマスカラブラシに関するものである。
【背景技術】
【０００２】  本発明の技術分野であるマスカラブラシは、マスカラ液を睫毛に塗布するもので、ブラシの毛に含ませたマスカラ液を睫毛にスムーズに移送でき、液の溜まり等が生じることなく、更にはブラシで睫毛を梳く事でマスカラ液が均一に塗布できる事、睫毛同士が付着しないように液を塗布できる事等が要求される。
このような要求を満足させる為に従来から各種構造のマスカラブラシが検討されてきた。【０００３】  特表平１０−５０９９００には捻られたワイヤーコアーの内部にマスカラ液を溜める部分を設けマスカラ液の供給を確実に行う構造が開示されている。【０００４】  特表２００３−５２１９８２には一対の捻りワイヤー挟み込んだ放射状のブラシの毛からなり、この放射状に直立するブラシの毛の間にマスカラ液を溜め、又ブラシの毛により睫毛を梳く構造が開示されている。【０００５】  また特開２０００−３２５１３９には捻りあわされたワイヤーの間に保持したブラシの毛が収束するループを形成する方法が開示されている。【０００６】  実開昭６１−６４８１７には軸体の先端にブラシ部と切り込み溝を設けたブラシが開示されている。【０００７】
【特許文献１】特表平１０−５０９９００号公報
【特許文献２】特表２００３−５２１９８２号公報
【特許文献３】特開２０００−３２５１３９号公報
【特許文献４】実開昭６１−６４８１７号公報
【発明の開示】
【発明が解決しようとする課題】
【０００８】  以上に述べた従来技術でマスカラ液を睫毛に塗布するためのマスカラブラシは芯材の表面にブラシの毛を芯の軸に対して放射状に設けたものであり、ブラシの毛の間に液を保持し、この放射状に設けたブラシの毛はマスカラ液を塗布するとともに、睫毛を梳くことで睫毛同士の付着を無くしていた。この構造のブラシの場合、ブラシの毛は放射状に設けられているため、マスカラ液の保持及び睫毛の梳き効果においては確実なものとはいえず、液ダマ、睫毛同士の付着などを生じる原因となっていた。【０００９】  マスカラ液の保持を確実にするため上記特開２０００−３２５１３９号に示されるように放射状の直線的なブラシの毛と収束するループ状のブラシの毛を設ける構造が開示されている。この方法ではループ内にマスカラ液の確保はある程度は可能であるが、ループ状となっているためループの方向は必ずしも一定方向とはならず、睫毛を梳く場合の効果は放射状のブラシの毛だけの場合と大きな差はない。【００１０】  実開昭６１−６４８１７号に示される軸に溝を設ける方法は、梳きの効果は機械的に設けた溝により向上させる事はできるが、マスカラ液の保持は充分でない。【００１１】  本発明は、上記のような従来の構成のマスカラブラシでの問題を解決しようとするマスカラブラシであり、マスカラ液を確実に保持でき、マスカラ液の塗布を良好なものとし、睫毛の梳きの効果を向上し、液ダマ、睫毛同士の付着等の問題を解決するものである。
【課題を解決するための手段】
【００１２】  本発明は、上記課題を解決するためのマスカラブラシであり、ブラシの芯材表面にもうけたブラシの毛の一部が切り込みのある不連続な円弧状をしたマスカラブラシである。
不連続な円弧状のブラシの毛が芯材の軸方向に多数直線的に並んでおり、又周方向には一定角度をもって、同様に軸方向に直線的に並んでいる。このマスカラブラシに使用するブラシの毛は合成樹脂からなる繊維を使用することができる。又ブラシの芯材は金属、プラスチック、木材等、強度的に問題ないものであれば制限は無い。
【発明の効果】
【００１３】  本発明のマスカラブラシに於いて、ブラシの毛は一部開口しているが、不連続な円弧状をなしており、マスカラ液の保持は、主に円弧内側の空間で保持され、円弧状のサイズを適切に選択することによりマスカラ液の保持量を適切に選定できる。
マスカラ液は円弧内側全体で保持する事が可能で、表面張力の関係で薄膜状に保持され必要以上の量が付着する事はない。【００１４】  又、ブラシの毛は不連続な円弧状で一部が開口している事で、マスカラ液を睫毛に塗布する際、睫毛が円弧内側にも入り込み、マスカラ液を塗布するとともに、睫毛を確実に梳くことが可能である。液の均一な塗布、液だまり防止、睫毛どうしの付着防止などに大きな効果を獲ることができる。
【発明を実施するための最良の形態】
【００１５】  以下、本発明の実施の形態を図１〜図３により説明する。
図１は本発明のマスカラブラシの構造を示す斜視図であり、把持部１と芯材２は一体に固定されており、芯材２の表面には不連続な円弧状のブラシの毛３が固定され、芯材２の軸方向に、直線状にならんでいる。【００１６】  図２はマスカラブラシの芯材２先端よりみた構造を示す斜視図である。軸方向に直線状にならんだブラシの毛３は周方向にも角度をおいて数列設けられている。
列間の角度は１０度から３０度であればよく、必要以上に多数列のブラシの毛３を設けなくても梳きの効果はえられる。又列が少なすぎるとマスカラ液を塗布する際方向性が生じ塗布し難い場合があるし、梳きの効果が減少することにもなる。【００１７】  把持部１及び芯材２は金属、木材、プラスチック等で作成する事が可能であり、その構造は把持部１と芯材２が別の材料でも良いし、同一の材料として一体のものでも良い。芯材２の形状は断面が円形のものが望ましいが、睫毛の形状に沿わせるために断面が楕円形、紡錘形、扁平状、のものを使用する事もできる。【００１８】  図３はブラシの毛３を芯材２に固定した状態を示した図である。
ブラシの毛３は円弧状であるが、その一部に切り込みを入れ、不連続な円弧状をなしている。切り込み部は円弧部分ではなく、立ち上がり部一箇所に設けるのが円弧の形状維持のためには望ましい。
ブラシの毛３は合成繊維が望ましく例えばポリアミド、ポリエステル、アクリル等の繊維が可能である。繊維は半円弧状にさせる為余り太い繊維は硬すぎ、余り細いものでは半円弧状の維持が出来なくなる。従ってその直径は０．０４ｍｍから０．４ｍｍが望ましい。【００１９】  又ブラシの毛３を芯材２へ固定する間隔はマスカラ液の保持を確実にするためには０．５ｍｍから２．０ｍｍが必要である。
さらに半円弧状をして芯材２に固定されたブラシの毛３の円弧状の高さはマスカラ液の確実な保持及び睫毛の梳き効果を確保するためには０．５ｍｍから３．０ｍｍが必要である。【００２０】  ブラシの毛３を芯材２に固定する方法は各種方法が考えられるが、植毛、接着、融着などにより芯材２表面に円弧状に固定して、その一部を切り込みを入れる事で不連続な円弧状とするのが望ましい。その他の方法として予めプラスチックなどの柔軟性のあるシートの表面にブラシの毛３を植毛、接着、融着などの方法で円弧状に固定しておき、その一部に切り込みを入れることで不連続な円弧状としておく、このシートを芯材３の表面に接着する、或いはパイプ状に加工した上で、芯材２に被せるなどの方法も可能である。【００２１】ブラシの毛３の固定される間隔はマスカラ液の保持を確実にする為には０．５ｍｍから２．０ｍｍが良い、広すぎても又狭すぎてもマスカラ液の保持量は少なくなる。又ブラシの毛３の円弧状の高さについては０．５ｍｍから２．０ｍｍの範囲が望ましい。【００２２】本発明の不連続な円弧状のブラシの毛を有するマスカラブラシはマスカラ液の確実な保持、均一にマスカラ液を塗布すること、更には、マスカラ液塗布の際、だま、睫毛同士の付着の防止など大きな特徴を有するものである。
【図面の簡単な説明】
【００２３】
【図１】  本発明の実施形態を示すマスカラブラシの斜視図
【図２】  本発明のマスカラブラシを先端より見た図
【図３】  本発明のブラシの毛の固定状態を示す図
【符号の説明】
【００２４】        １  把持部
２  芯材
３  ブラシの毛
【図１】
2006218256.tif 000003
【図２】
2006218256.tif 000004
【図３】
2006218256.tif 000005